(57)【特許請求の範囲】
【請求項１】
ファクシミリ通信のための音声データをＩＰ網で送受信するＶｏＩＰ通信を行う第１の通信手段と、
前記音声データを用いずに前記ＩＰ網経由でファクシミリ通信を行う非ＶｏＩＰ通信を行う第２の通信手段と、
前記第１の通信手段が前記ＶｏＩＰ通信を行うときに、当該ＶｏＩＰ通信の通信状況をユーザに知らせるための音を出力する音出力手段と、
前記第２の通信手段が前記非ＶｏＩＰ通信を行うときに、当該非ＶｏＩＰ通信の通信状況を前記ユーザに知らせるための音を出力するように、前記音出力手段を制御する制御手段と
を備えたことを特徴とするファクシミリ装置。
【請求項２】
前記制御手段は、前記非ＶｏＩＰ通信を行う前、及び前記非ＶｏＩＰ通信を行った後に、前記音を出力するように前記音出力手段を制御することを特徴とする請求項１記載のファクシミリ装置。
【請求項３】
前記制御手段は、前記非ＶｏＩＰ通信を行うときに、前記ＶｏＩＰ通信を行うときに出力される音とは異なる音を出力するように前記音出力手段を制御することを特徴とする請求項１または２記載のファクシミリ装置。
【請求項４】
前記ＶｏＩＰ通信は、ＩＴＵ−Ｔ勧告Ｔ．３０に従った音声データをＩＰ網で送受信するファクシミリ通信であり、前記非ＶｏＩＰ通信は、ＩＴＵ−Ｔ勧告Ｔ．３８に従ったファクシミリ通信であることを特徴とする請求項１乃至３のいずれか１項に記載のファクシミリ装置。
【請求項５】
前記音出力手段は、モデムであることを特徴とする請求項１乃至４のいずれか１項に記載のファクシミリ装置。
【請求項６】
前記ＶｏＩＰ通信を行う場合と前記非ＶｏＩＰ通信を行う場合で、前記モデムのモードを変更する変更手段を備えることを特徴とする請求項５に記載のファクシミリ装置。
【請求項７】
ファクシミリ通信のための音声データをＩＰ網で送受信するＶｏＩＰ通信を行う第１の通信ステップと、
前記音声データを用いずに前記ＩＰ網経由でファクシミリ通信を行う非ＶｏＩＰ通信を行う第２の通信ステップと、
前記第１の通信ステップが前記ＶｏＩＰ通信を行うときに、当該ＶｏＩＰ通信の通信状況をユーザに知らせるための音を音出力手段から出力する出力ステップと、
前記第２の通信ステップが前記非ＶｏＩＰ通信を行うときに、当該非ＶｏＩＰ通信の通信状況を前記ユーザに知らせるための音を出力するように、前記音出力手段を制御する制御ステップと
を備えたことを特徴とするファクシミリ装置の制御方法。
【請求項８】
ファクシミリ通信のための音声データをＩＰ網で送受信するＶｏＩＰ通信を行う第１の通信ステップと、
前記音声データを用いずに前記ＩＰ網経由でファクシミリ通信を行う非ＶｏＩＰ通信を行う第２の通信ステップと、
前記第１の通信ステップが前記ＶｏＩＰ通信を行うときに、当該ＶｏＩＰ通信の通信状況をユーザに知らせるための音を音出力手段から出力する出力ステップと、
前記第２の通信ステップが前記非ＶｏＩＰ通信を行うときに、当該非ＶｏＩＰ通信の通信状況を前記ユーザに知らせるための音を出力するように、前記音出力手段を制御する制御ステップと
を備えたファクシミリ装置の制御方法をコンピュータに実行させるためのプログラム。
【発明の詳細な説明】
【技術分野】
【０００１】
本発明は、ファクシミリ装置及びその制御方法、並びにプログラムに関する。
【背景技術】
【０００２】
従来、公衆電話回線（ＰＳＴＮ）に対応した通信装置のファックス機能は、ＩＴＵ−Ｔ勧告Ｔ．３０（以下、Ｔ．３０）による音声データで通信を行っており、アナログ回線用のモデムを用いて機能を実現していた。そして、通信装置がユーザに対し、ファックス通信の開始や通信中であることを通知できるように、モデムが出力した音や、公衆電話回線から受信する信号を音として出力することは一般的に行われていた。
【０００３】
一方、近年ではＩＰ網でファクシミリ通信可能な通信装置が出てきている。ＩＰ網に対応した通信装置では、通信相手がＩＴＵ−勧告Ｔ．３８（以下、Ｔ．３８）に対応していた場合には、Ｔ．３８でファックス送受信を行う。
【０００４】
通信相手がＴ．３８に対応していない場合には、Ｔ．３０の音声データを見做し音声のデータパケットとしてＩＰ網で送受信し（ＶｏＩＰ:Voice Over IP）、ＩＰ網からＶｏＩＰゲートウェイを経由した、公衆電話回線経由のファックス送受信（Ｔ．３０）を行う（例えば、特許文献１参照）。
【０００５】
この特許文献１に記載されたファクシミリ装置では、通信相手がＩＰ網による送受信（Ｔ．３８）に対応していた場合、ファクシミリ装置が扱うのはＴ．３８に対応したデジタル画像データである。
【０００６】
一方、通信相手が公衆電話回線（ＰＳＴＮ）による送受信しかサポートしていないときには、ＶｏＩＰで通信を行うため、送信時にはスキャンすることで得られた画像データから音声データを生成し、その音声データからＧ．７１１のＰＣＭデータを生成する。
【０００７】
受信時には受信したＧ．７１１のＰＣＭデータから音声データを生成し、印刷を行うための画像データを生成する。
【０００８】
また、特許文献１ではデータの変換にＧ．７１１ブロックを使用していたが、Ｔ．３０で通信を行うモデムに、Ｇ．７１１のデータ変換機能を持たせる技術も考えられている。
【先行技術文献】
【特許文献】
【０００９】
【特許文献１】特開２００６−９４０２４号公報
【発明の概要】
【発明が解決しようとする課題】
【００１０】
Ｔ．３８、Ｔ．３０の両方に対応した通信装置の場合、相手機とＴ．３０（ＶｏＩＰ）で通信を行う際には、デジタル画像データ→音声データ→Ｇ．７１１データ、またはＧ．７１１データ→音声データ→デジタル画像データと変換している。
【００１１】
その際に、モデムからアナログ信号を取り出しスピーカに出力することで、ユーザに通信音を聞かせることが可能である。
【００１２】
しかし、相手機とＴ．３８で通信を行う場合には、通信で扱うデータがデジタルデータであるため、音声データが発生しないため、通信音を聞かせることができない。
【００１３】
相手機とＴ．３８で通信を行う際に、ユーザに通知音を聞かせる方法としては通信装置に別途音声出力回路を備え、これにより音声を出力することが考えられるが、回路を追加するコストが必要となる。
【００１４】
そこで、相手機とＴ．３８で通信を行う場合にも、Ｔ．３０通信の際に使用するモデムを用いて音を出す仕組みが必要となる。
【００１５】
またＴ．３８での通信時以外でも、ユーザに音で通知したい場合に、モデムを用いて音を出力できるようにしたい。
【００１６】
本発明の目的は、ＶｏＩＰ通信の通信状況をユーザに知らせるための音を出力する音出力手段を用いて、非ＶｏＩＰ通信の通信状況をユーザに知らせる仕組みを提供することにある。
【課題を解決するための手段】
【００１７】
上記目的を達成するために、請求項１のファクシミリ装置は、ファクシミリ通信のための音声データをＩＰ網で送受信するＶｏＩＰ通信を行う第１の通信手段と、前記音声データを用いずに前記ＩＰ網経由でファクシミリ通信を行う非ＶｏＩＰ通信を行う第２の通信手段と、前記第１の通信手段が前記ＶｏＩＰ通信を行うときに、当該ＶｏＩＰ通信の通信状況をユーザに知らせるための音を出力する音出力手段と、前記第２の通信手段が前記非ＶｏＩＰ通信を行うときに、当該非ＶｏＩＰ通信の通信状況を前記ユーザに知らせるための音を出力するように、前記音出力手段を制御する制御手段とを備えたことを特徴とする。
【発明の効果】
【００１８】
本発明によれば、ＶｏＩＰ通信の通信状況をユーザに知らせるための音を出力する音出力手段を用いて、非ＶｏＩＰ通信の通信状況をユーザに知らせることができる。
【図面の簡単な説明】
【００１９】
【図１】本発明の実施の形態に係るＩＰ−ＦＡＸに対応した画像形成装置を含むネットワーク構成を示す図である。
【図２】図１における画像形成装置の概略構成を示す図である。
【図３】図２におけるモデムの概略構成を示す図である。
【図４】図２におけるモデムの動作モードを説明するための図である。
【図５】図２におけるＣＰＵにより実行される動作モード変更処理の手順を示すフローチャートである。
【図６】公衆電話回線を用いたＴ．３０での一般的な通信手順を説明するための図である。
【図７】Ｔ．３８での一般的な通信手順を説明するための図である。
【図８】図２におけるＣＰＵにより実行される、Ｔ．３８の通信手順に応じて音を出力する音出力処理の手順を示すシーケンス図である。
【図９】図２におけるＣＰＵ１０２により実行される、Ｔ．３８の通信手順に応じて、図８に示した音出力タイミングとは異なるタイミングで音を出力する音出力処理の手順を示すシーケンス図である。
【図１０】図２におけるＣＰＵにより実行される、動作モードを変更することなく音を出力する音出力処理の手順を示すフローチャートである。
【発明を実施するための形態】
【００２０】
以下、本発明の実施の形態について図面を参照しながら詳述する。なお、本実施の形態では、本発明に係るファクシミリ装置を、画像形成装置に適用した形態について説明する。
【００２１】
図１は、本発明の実施の形態に係るＩＰ−ＦＡＸに対応した画像形成装置１０１を含むネットワーク構成を示す図である。
【００２２】
図１において、画像形成装置１０１は、ＬＡＮ１２０を介してＩＰ網２０１に接続される。ＩＰ網２０１には画像形成装置１０１と同様のＩＰ−ＦＡＸの機能を有する画像形成装置２０５が接続される。
【００２３】
またＩＰ網２０１と、既存の公衆電話回線であるＰＳＴＮ網２０３とのデータの受け渡しをするＶｏＩＰゲートウェイ２０２が接続されている。ファックス装置２０４、及びファックス装置２０７はＩＴＵ−Ｔ勧告Ｔ．３０に従った音声通信のみに対応している。ＩＰ網２０１には、ＩＴＵ−Ｔ勧告Ｔ．３８に従って動作するＴ．３８ゲートウェイ２０６が接続されている。以下の説明では、ＩＴＵ−Ｔ勧告Ｔ．３０を単にＴ．３０と表現し、ＩＴＵ−Ｔ勧告Ｔ．３８を単にＴ．３８と表現する。
【００２４】
このネットワーク構成において、画像形成装置１０１は、ＩＰ網経由で画像形成装置２０５との間で、Ｔ．３８に従ったファクシミリ通信（非ＶｏＩＰ通信）と、見做し音声方式（以下、「ＶｏＩＰ」という）でファクシミリ通信を行うことができる。また、以下の説明では、ＶｏＩＰで通信することをＶｏＩＰ通信と表現する。
【００２５】
また、画像形成装置１０１は、ＩＰ網２０１、ＶｏＩＰゲートウェイ２０２、及びＰＳＴＮ網２０３を通じて、ファックス装置２０４とＶｏＩＰを行うことができる。
【００２６】
さらに、画像形成装置１０１は、ＩＰ網２０１、及びＴ．３８ゲートウェイ２０６を通じて、ファックス装置２０７とＴ．３８方式によるＧ３ファクシミリ通信を行うことができる。
【００２７】
このように、画像形成装置１０１では、ファクシミリ通信を行う相手先に応じて、Ｔ．３８（非ＶｏＩＰ）、ＶｏＩＰのいずれかを選択して発呼するようになっている。
【００２８】
図２は、図１における画像形成装置１０１の概略構成を示す図である。
【００２９】
図２において、ＣＰＵ１０２は、画像形成装置１０１のソフトウェアプログラムを実行し画像形成装置１０１全体の制御を行う。また、ＣＰＵ１０２は接続されたモデム１０７の制御も行う。ＲＯＭ１０４は、リードオンリーメモリであり、画像形成装置１０１のブートプログラムや固定パラメータ等が記憶されている。
【００３０】
ＲＡＭ１０５は、ランダムアクセスメモリであり、ＣＰＵ１０２が画像形成装置１０１を制御する際に、一時的なデータの記憶などに使用される。ＨＤＤ１０６は、ハードディスクドライブであり、印刷するデータや、モデム１０７へ出力するための音声データなど、様々なデータの記憶に使用される。また、ＨＤＤ１０６には、後述する図５〜図１０に示される各処理を実行するためのプログラムも記憶されている。
【００３１】
バス１０３はＣＰＵ１０２とモデム１０７間でデジタルの画像データを送受信するバスである。バス１０８はＣＰＵ１０２とモデム１０７間でＧ．７１１形式のデータ（以下、「Ｇ７１１データ」という）を送受信するバスである。
【００３２】
モデム１０７はバス１０３経由でＣＰＵ１０２から受けたデジタルの画像データを、音声データからＧ．７１１データに変換し、バス１０８経由でＣＰＵ１０２へ戻す。また、モデム１０７はバス１０８経由でＣＰＵ１０２から受けたＧ．７１１データを音声データからデジタルの画像データに変換し、バス１０３経由でＣＰＵ１０２へ戻す。
【００３３】
さらに、モデム１０７はＴ．３０の手順の一部をモデム１０７のみで実行することができる。また、モデム１０７で扱っている音のアナログデータをバス１０９経由でアンプ１１０へ送り、スピーカ１１２から音を出力させる（音出力手段）。
【００３４】
パネル制御部１１３は、オペレーションパネル１１４を制御し、各種情報を表示したり、ユーザからの指示入力が行われたりする。
【００３５】
プリンタＩ／Ｆ制御部１１５は、プリンタ１１６を制御する装置である。スキャナＩ／Ｆ制御部１１７は、スキャナ１１８を制御する装置である。ネットワークＩ／Ｆ制御部１１９は、ＬＡＮ１２０とのデータの送受信を制御する。
【００３６】
バス１１１はＣＰＵ１０２からの制御信号や各装置間のデータ信号が送受信されるシステムバスである。このバス１１１には、スキャナＩ／Ｆ制御部１１７、ＣＰＵ１０２、ＲＯＭ１０４、ＲＡＭ１０５、ＨＤＤ１０６、プリンタＩ／Ｆ制御部１１５、パネル制御部１１３、及びネットワークＩ／Ｆ制御部１１９が接続されている。
【００３７】
このように、画像形成装置１０１は、Ｔ．３０、及びＴ．３８手順に応じた通信を行うことが可能であり、Ｔ．３０に応じた通信を行っているときに、ファクシミリ通信の通信状況をユーザに知らせるための音を出力する音出力手段を備えている。
【００３８】
図３は、図２におけるモデム１０７の概略構成を示す図である。
【００３９】
図３において、コントローラ部４０１はモデムＤＳＰ部４０２、コーデック部４０３をコントロールする。また、コントローラ部４０１はデジタルの画像データを、バス１０３経由でＣＰＵ１０２と送受信できる。さらに、コントローラ部４０１からモデムＤＳＰ部４０２、コーデック部４０３にＴ．３０の手順信号（音声信号）の出力を指示することもできる。
【００４０】
モデムＤＳＰ部４０２はファックス信号の変復調をデジタル信号処理するＤＳＰである。このモデムＤＳＰ部４０２はコントローラ部４０１から送られてくるデジタルの画像データを音声信号に変換し、コーデック部４０３に出力する。また、モデムＤＳＰ部４０２はコーデック部４０３から送られてくる音声データを、デジタルの画像データに変換し、コントローラ部４０１に出力する。さらに、モデムＤＳＰ部４０２は、スピーカ１１２にアナログ信号を出力可能であり、スピーカ１１２及びアナログ回路により、モデム１０７で扱うデータを音として出力することができる。
【００４１】
コーデック部４０３はＡＤ／ＤＡ変換を行い、モデムＤＳＰ部４０２から送られた音声データをＩＰ−ＦＡＸで扱うＧ．７１１データに変換し、バス１０８へ出力する。また、コーデック部４０３はバス１０８から受信したＧ．７１１データを、音声データに変換し、モデムＤＳＰ部４０２に出力する。
【００４２】
図４は、図２におけるモデム１０７の動作モードを説明するための図である。
【００４３】
図４において、モード１は、ＶｏＩＰ通信を行うとともに、スピーカで音を鳴らす動作モードである。モード２は、ＶｏＩＰ通信を行うとともに、スピーカで音を鳴らさない動作モードである。モード３は、ＶｏＩＰ通信を行わず、またバス１０３から受信したデジタルの画像データ、バス１０８から受信したＧ．７１１データを音として鳴らす動作モードである。
【００４４】
これらの動作モードは、同図に示されるように、各出力のＯＮ／ＯＦＦにより設定されている。１つ目の出力は、「モデムＤＳＰ部４０２からコーデック部４０３へのデータ出力」である。２つ目の出力は、「モデムＤＳＰ部４０２からコントローラ部４０１へのデータ出力」である。３つ目の出力は、「モデムＤＳＰ部４０２からスピーカ出力」である。
【００４５】
なお、上述した動作モードを設定するための項目以外の項目により設定してもよいし、複数の動作モードを用意してもよい。また、モデム１０７以外のＣＰＵ１０２など周辺回路との組み合わせで、動作モードを持たせてもよい。
【００４６】
図５は、図２におけるＣＰＵ１０２により実行される動作モード変更処理の手順を示すフローチャートである。
【００４７】
図５に示される処理は、通常ではモード１としているモデム１０７の動作モードを、任意のタイミングで画像形成装置１０１がユーザに対して音を出力しようとしたとき、モード３に変更する処理を示している。
【００４８】
図５において、まずＶｏＩＰ通信中か否か判別する（ステップＳ３０１）。ステップＳ３０１の判別の結果、ＶｏＩＰ通信中のとき（ステップＳ３０１でＹＥＳ）、ＶｏＩＰ通信が終了すると（ステップＳ３０２でＹＥＳ）、ステップＳ３０３に進む。
【００４９】
一方、ＶｏＩＰ通信中ではないとき（ステップＳ３０１でＮＯ）、動作モードをモード３に変更する（ステップＳ３０３）。そして、モデム１０７に対して音出力を指示する（ステップＳ３０４）。
【００５０】
この音出力の指示としては、例えば手順信号であるＰＳＴＮへダイヤルするためのＤＴＭＦ信号を出力する指示でもよいし、ＨＤＤ１０６に記憶された音声データをモデム１０７へ送ることによって、その音声データが示す音を出力する指示でもよい。
【００５１】
次いで、音出力終了か否か判別する（ステップＳ３０５）。ステップＳ３０５の判別の結果、音出力終了ではないときは（ステップＳ３０５でＮＯ）、上記ステップＳ３０４に進む。音出力終了のときは（ステップＳ３０５でＹＥＳ）、動作モードをＴ．３０で通信を行うモード１へ戻し（ステップＳ３０６）、本処理を終了する。
【００５２】
図６は、公衆電話回線を用いたＴ．３０での一般的な通信手順を説明するための図である。
【００５３】
図６において示される内容は、以下の通りである。
１・送信側からダイヤルする
２・交換機からの呼出し
３・ＣＮＧ：オートダイヤルのファックスであることを示す
４・応答として受信側がオフフックする
５・ＣＥＤ：自動受信のファックスであることを示す
６・ＤＩＳ：送信側に自機の機能を伝える
７・ＤＣＳ：受信側にモードを指定して受信させる
８、１１・トレーニング：受信側のモデムの受信状態を調整するために送る
９・ＴＣＦ：ＤＣＳで指定したモデムを使って送信
１０・ＣＦＲ：ＴＣＦが正常に受信でき受信完了であることを伝える
１２・画像データ：画像を符号化した信号
１３・ＲＴＣ：画像１ページの最後に送る
１４・ＥＯＰ：受信側に送信が終わったことをしらせる
１５・ＭＣＦ：画像が正常に受信できたことを知らせる
１６・ＤＣＮ：受信側に回線を切断するよう指示する
１７・送信側／受信側ともに回線を切断する
上述したＴ．３０による通信手順によれば、画像形成装置１０１が送信側とした場合、画像形成装置１０１のＣＰＵ１０２はモデム１０７へ「３・ＣＮＧ」を送信の指示をした後、受信側からの「５・ＣＥＤ信号」の受信を待つ指示を行う。
【００５４】
また、モデム１０７が「３・ＣＮＧ」を送信した後、「５・ＣＥＤ」の受信を待つ、という手順となっている。また、それ以外にもＣＮＧ等の制御信号を送信する時間が定められている。
【００５５】
しかし、モデム１０７の動作モードがモード１ではなく、モード３となった場合には、手順通りに全ての音を出す必要はない。そこで、ＣＰＵ１０２の処理やモデム１０７の処理をモード３で動作する処理に変更することにより、通信手順によらずに音を出力できるようにする。
【００５６】
例えば、Ｔ．３０での通信で用いるようにした送信、受信の両方の音を出力するようにしても良い。また、ＨＤＤ１０６に記憶された音声データが示す音を出力しても良い。モード変更に関しては図５で示した動作モード変更処理によって変更すれば良い。
【００５７】
図７は、Ｔ．３８での一般的な通信手順を説明するための図である。
【００５８】
図７においては、画像形成装置１０１が、画像形成装置２０５に対してファクシミリ送信を行った場合のシーケンス図が示されている。
【００５９】
画像形成装置１０１は、画像形成装置２０５に対して、ＩＮＶＩＴＥメッセージを送信する（ステップＳ７０１）。画像形成装置２０５は、自装置宛のＩＮＶＩＴＥメッセージを受信すると、ＩＮＶＩＴＥメッセージに含まれているオファーＳＤＰを精査し、対応可能なメディア情報が記述されていれば、２００  ＯＫメッセージを送信する（ステップＳ７０２）。この２００  ＯＫには画像形成装置２０５が受け入れるメディア情報と受信ポート番号を記述したＳＤＰを含める。
【００６０】
画像形成装置１０１は、２００  ＯＫを受信すると、２００  ＯＫメッセージを受信したことを示すＡＣＫメッセージを送信する（ステップＳ７０３）。これによって、画像形成装置１０１と画像形成装置２０５間に、両者が同意したメディア情報でデータ通信を実現するＳＩＰセッションが確立したこととなる。
【００６１】
セッションの確立後は、画像形成装置１０１と画像形成装置２０５との間で画像データの送受信が行われる（ステップＳ７０４）。画像形成装置１０１から画像データの送信が終了すると、画像形成装置１０１がセッション終了を示すＢＹＥメッセージを送信する（ステップＳ７０５）。
【００６２】
画像形成装置２０５がＢＹＥメッセージを受信し、画像データの受信が完了した後の通信の必要がなければ、画像形成装置２０５から２００  ＯＫを送信し（ステップＳ７０６）、画像形成装置１０１、２０５ともに呼の切断を行う。
【００６３】
図８は、図２におけるＣＰＵ１０２により実行される、Ｔ．３８の通信手順に応じて音を出力する音出力処理の手順を示すシーケンス図である。
【００６４】
図８において、ＩＮＶＩＴＥメッセージの送信時に（ステップＳ８０１）、モデム１０７にＤＴＭＦ音（ピ・ポ・パ音）出力を指示する。次いで、２００  ＯＫの受信時に（ステップＳ８０２）、モデム１０７にＣＥＤ、ＤＩＳ音出力を指示する。
【００６５】
通信フェーズの際には（ステップＳ８０４）、モデム１０７にトレーニング時の音（Ｔ．３０での画像送信音）出力を指示する。
【００６６】
ＢＹＥの送信時に（ステップＳ８０５）、モデム１０７にＤＣＮ音出力を指示する。２００  ＯＫ受信により（ステップＳ８０６）、本処理が終了する。
【００６７】
このようにＴ．３８の通信手順に応じて、Ｔ．３０手順での該当音を出すことで、ユーザに通信中であることを通知することが可能となる。上述したステップＳ８０１〜ステップＳ８０６がＴ．３８の通信手順に応じて通信を行う通信手段に対応する。また、同図に示されるように、ＣＰＵ１０２は、Ｔ．３８の通信手順に応じて通信を行っているときに、通信手順に応じて音を出力するように音出力手段を制御するので、ＣＰＵ１０２が制御手段に対応する。
【００６８】
図８の音出力処理によれば、Ｔ．３８の通信手順に応じて通信を行っているときに、通信手順に応じて音を出力するように制御することにより、Ｔ．３８手順に応じた通信を行っていることをユーザに認識させることが可能となる。
【００６９】
図９は、図２におけるＣＰＵ１０２により実行される、Ｔ．３８の通信手順に応じて、図８に示した音出力タイミングとは異なるタイミングで音を出力する音出力処理の手順を示すシーケンス図である。
【００７０】
図８に示した音出力タイミングとは異なるタイミングで音を出力する背景としては以下のことが挙げられる。Ｔ．３８の通信手順は、Ｔ．３０の通信手順に比べて時間が短い。そのため、Ｔ．３８の通信手順時間のまま音を出力してしまった場合、ユーザに聞き取れない恐れがある。
【００７１】
そのようなことがないように、実際のＴ．３８の手順と音出力に時間差を設けることで、ユーザに対して音が聞き取りやすくする効果がある。
【００７２】
図９におけるシーケンス図では、時間をベースに説明する。
・時間：Ｔ０〜Ｔ１
ダイヤル（ＤＴＭＦ）音を出す。画像形成装置２０５との通信は始まっていない。
・時間：Ｔ１〜Ｔ２
ＣＥＤ音を出す。画像形成装置２０５との通信は始まっていない。
・時間：Ｔ２〜Ｔ３
ＤＩＳ音を出す。画像形成装置２０５との通信は始まっていない。
・時間：Ｔ３
画像形成装置１０１がＩＮＶＩＴＥメッセージを送信し（ステップＳ９０１）、通信が開始される。
・時間：Ｔ３〜Ｔ４
トレーニング音を出す。通信においては、ステップＳ９０１〜ステップＳ９０４まで進む。
・時間：Ｔ４〜Ｔ５
音出力は行わない。通信においては、ステップＳ９０５、９０６と進む。
・時間：Ｔ５〜Ｔ６
ＤＣＮ音を出す。
【００７３】
上述した図９に示されるタイミング以外のタイミングで音を出力するようにしてもよい。このように、本実施の形態では、Ｔ．３８の通信手順に応じて通信を行う前、及びＴ．３８の通信手順に応じて通信を行った後に、さらに音を出力するように音出力手段を制御する。
【００７４】
また、Ｔ．３０での通信音、Ｔ．３８での通信音を同じ音にして出力させたいユーザもいるが、異なる通信だとみなして異なる音を出力させて、違いを音で判断したいユーザがいることも考えられる。そのため、Ｔ．３０とＴ．３８での通信が音で区別できるように異なる音へ変更してもよい。
【００７５】
上述した異なる音の例として、図９のＴ０〜Ｔ１のダイヤル（ＤＴＭＦ）の場合、Ｔ０でダイヤルを始める前に出力する音に、単一周波数の音を付けえた音が挙げられる。または、Ｔ０〜Ｔ１のダイヤル（ＤＴＭＦ）を一方における音よりも高音とすることで異なる音とするようにしてもよい。
【００７６】
これにより、ユーザはＴ．３０での通信音、Ｔ．３８での通信音の違いを認識することが可能となる。このように、本実施の形態では、Ｔ．３０の通信手順に応じて通信を行っている際に出力される音とは異なる音を出力するように音出力手段を制御する。
【００７７】
図１０は、図２におけるＣＰＵ１０２により実行される、動作モードを変更することなく音を出力する音出力処理の手順を示すフローチャートである。
【００７８】
図１０において、まずＶｏＩＰ通信中か否か判別する（ステップＳ１００１）。ステップＳ１００１の判別の結果、ＶｏＩＰ通信中のとき（ステップＳ１００１でＹＥＳ）、ＶｏＩＰ通信が終了すると（ステップＳ１００２でＹＥＳ）、ステップＳ１００３に進む。
【００７９】
一方、ＶｏＩＰ通信中ではないとき（ステップＳ１００１でＮＯ）、モデム１０７に対して音出力を指示する（ステップＳ１００３）。
【００８０】
この音出力の指示としては、例えばＴ．３０の手順信号を出力する指示でもよいし、ＨＤＤ１０６に記憶された音声データをモデム１０７へ送ることによって、その音声データが示す音を出力する指示でもよい。
【００８１】
次いで、データの破棄が行われる（ステップＳ１００４）。このデータとは、モデム１０７からＣＰＵ１０２に戻ってくるデータである。具体的に、ＣＰＵ１０２からモデム１０７への音の出力指示が、デジタルの画像データを出力した指示の場合は、Ｇ．７１１のデータが破棄されるデータである。また、Ｇ．７１１のデータを出力した指示の場合には、デジタルの画像データがモデム１０７から戻ってくる。それらモデム１０７から戻ってくるデータは音を出すためにＣＰＵ１０２から出力したデータであり、通信では不要なデータであるため、ＣＰＵ１０２でそのデータを破棄する。
【００８２】
次いで、音出力終了か否か判別する（ステップＳ１００５）。ステップＳ１００５の判別の結果、音出力終了ではないときは（ステップＳ１００５でＮＯ）、上記ステップＳ１００３に進む。音出力終了のときは（ステップＳ１００５でＹＥＳ）、本処理を終了する。
【００８３】
以上説明した音出力処理により、ＣＰＵ１０２がモデム１０７のモード変更を行わずとも音出力が可能となる。
【００８４】
以上、モデム１０７を使用した音出力方法について述べてきたが、上記の方法に関してはモデム１０７というＩＣに関した話だけではなく、Ｔ．３８、Ｔ．３０の通信方式に対応した画像形成装置における類似したハードウェア全てに当てはまる。
【００８５】
例えば、モデム１０７は、コントローラ部４０１、モデムＤＳＰ部４０２、コーデック部４０３で構成されている。しかし、モデム１０７の、コントローラ部４０１、モデムＤＳＰ部４０２、コーデック部４０３が独立し、別々にＣＰＵ１０２に制御されていてもよく、モデム１０７チップとして構成されていなくとも問題ない。
【００８６】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００８７】
１０１  画像形成装置
１０２  ＣＰＵ
１０４  ＲＯＭ
１０５  ＲＡＭ
１０６  ＨＤＤ
１０７  モデム
１１０  アンプ
１１２  スピーカ
４０１  コントローラ部
４０２  モデムＤＳＰ部
４０３  コーデック部
【図１】
0006012194.tif 000002
【図２】
0006012194.tif 000003
【図３】
0006012194.tif 000004
【図４】
0006012194.tif 000005
【図５】
0006012194.tif 000006
【図６】
0006012194.tif 000007
【図７】
0006012194.tif 000008
【図８】
0006012194.tif 000009
【図９】
0006012194.tif 000010
【図１０】
0006012194.tif 000011